(57)【要約】【課題】ＡＣＬ回路を用いた画像幅制御においては、画像が暗い場合には制御を行わないため画像幅が狭くなってしまうという課題があった。【解決手段】平均輝度電圧検出回路７０にて検出された画像の平均輝度に基づく直流電圧を水平偏向回路３０における水平糸巻き歪み補正回路３３に入力し、パラボラ波状の水平糸巻き歪み補正電圧に重畳する。平均輝度電圧が重畳されることで変調される水平ドライブ電流の振幅は、画像の輝度が大きい場合には小さくされ、画像の輝度が小さい場合には大きくされる。従って、画像の輝度に依存する高圧の変動によって画像幅が変動することを防止することができる。【選択図】  図７
2004350180.tif 000002
【特許請求の範囲】
【請求項１】
映像信号をカソードアンプに出力する映像信号出力回路と、水平同期パルスからのこぎり波状の水平ドライブ電流を生成し同水平ドライブ電流を水平偏向コイルに出力する水平偏向回路と、受像管のアノード電極に高圧を出力する高圧発生回路と、垂直同期パルスからのこぎり波状の垂直ドライブ電流を生成し同垂直ドライブ電流を垂直偏向コイルに出力する垂直偏向回路とを備えるテレビジョンにおいて、
上記映像信号出力回路より出力される映像信号の輝度レベルの変動を輝度電圧として検出し、検出された輝度電圧を平滑化することにより平均輝度電圧を直流電圧として生成する平均輝度電圧検出手段を具備するとともに、
上記水平偏向回路は、
垂直同期パルスからパラボラ波状の水平糸巻き歪み補正電圧を生成するとともに同水平糸巻き歪み補正電圧に基づいて上記水平ドライブ電流を変調させる水平糸巻き歪み補正回路を備え、
上記平均輝度電圧を上記水平糸巻き歪み補正電圧に重畳させることにより画像の輝度が小さいほど上記水平ドライブ電流の振幅を増加させるように同水平ドライブ電流を変調させることを特徴とするテレビジョン。
【請求項２】
映像信号をカソードアンプに出力する映像信号出力回路と、水平同期パルスからのこぎり波状の水平ドライブ電流を生成し同水平ドライブ電流を水平偏向コイルに出力する水平偏向回路と、受像管のアノード電極に高圧を出力する高圧発生回路と、垂直同期パルスからのこぎり波状の垂直ドライブ電流を生成し同垂直ドライブ電流を垂直偏向コイルに出力する垂直偏向回路とを備えるテレビジョンにおいて、
上記映像信号出力回路より出力される映像信号の輝度レベルの変動を輝度電圧として検出する輝度電圧検出手段を具備するとともに、
上記輝度電圧検出手段にて検出された輝度電圧を水平偏向回路に入力することにより画像の輝度が小さいほど上記水平ドライブ電流の振幅を増加させるように同水平ドライブ電流を変調させることを特徴とするテレビジョン。
【請求項３】
上記輝度電圧検出手段は、検出された輝度電圧を平滑化することにより直流の平均輝度電圧を生成する平均化手段を具備することを特徴とする請求項２に記載のテレビジョン。
【請求項４】
上記水平偏向回路は、垂直同期パルスからパラボラ波状の水平糸巻き歪み補正電圧を生成するとともに同水平糸巻き歪み補正電圧に基づいて上記水平ドライブ電流を変調させる水平糸巻き歪み補正回路を備えるとともに、
上記輝度電圧検出手段にて検出された上記輝度電圧を上記水平糸巻き補正電圧に重畳させることを特徴とする請求項２または請求項３のいずれかに記載のテレビジョン。
【発明の詳細な説明】
【０００１】
【発明の属する技術分野】
本発明は、テレビジョンに関し、特に、受像管において電子ビームを水平方向および垂直方向にドライブさせて画像を再生するテレビジョンに関する。
【０００２】
【従来の技術】
従来、この種のテレビジョンとして、ＡＢＬ回路またはＡＣＬ回路により受像管のビーム電流量を検出し、ビーム電流量が多いときにはカソードアンプに出力される映像信号の輝度を制限することにより、ビーム電流が過大となることを防止するものが知られていた。
かかる構成によれば、ビーム電流が過大となることが防止されるため、高圧の電位が低下しにくく画像幅が広がることを防止することが可能である（例えば、特許文献１参照。）。
【特許文献１】
特開平１０−１３７１４号公報
【０００３】
【発明が解決しようとする課題】
従来のテレビジョンにおいては、画像が明るい場合には輝度やコントラストを制限することにより画像幅が広がることが防止されるが、画像が暗い場合には制御を行わないため画像幅が狭くなってしまうという課題があった。
本発明は、上記課題にかんがみてなされたもので、画像が明るい場合にも暗い場合にも画像の水平幅が一定となるテレビジョンの提供を目的とする。
【０００４】
【課題を解決するための手段】
上記目的を達成するため、請求項１にかかる発明は、映像信号をカソードアンプに出力する映像信号出力回路と、水平同期パルスからのこぎり波状の水平ドライブ電流を生成し同水平ドライブ電流を水平偏向コイルに出力する水平偏向回路と、受像管のアノード電極に高圧を出力する高圧発生回路と、垂直同期パルスからのこぎり波状の垂直ドライブ電流を生成し同垂直ドライブ電流を垂直偏向コイルに出力する垂直偏向回路とを備えるテレビジョンにおいて、
上記映像信号出力回路より出力される映像信号における輝度レベルの変動を輝度電圧として検出し、検出された輝度電圧を平滑化することにより平均輝度電圧を直流電圧として生成する平均輝度電圧検出手段を具備するとともに、上記水平偏向回路は、垂直同期パルスからパラボラ波状の水平糸巻き歪み補正電圧を生成するとともに同水平糸巻き歪み補正電圧に基づいて上記水平ドライブ電流を変調させる水平糸巻き歪み補正回路を備え、上記平均輝度電圧を上記水平糸巻き歪み補正電圧に重畳させることにより画像の輝度が小さいほど上記水平ドライブ電流の振幅を増加させるように同水平ドライブ電流を変調させる構成としてある。
【０００５】
上記のように構成した請求項１の発明は、上記映像信号出力回路が上記映像信号を上記カソードアンプに出力し、上記高圧発生回路が受像管のアノード電極に高圧を出力する。従って、上記映像信号に基づいて受像管の管面に電子ビームを投射することが可能となる。上記水平偏向回路は、水平同期パルスからのこぎり波状の水平ドライブ電流を生成するとともに、この水平ドライブ電流を水平偏向コイルに出力する。同様に上記垂直偏向回路は、垂直同期パルスからのこぎり波状の垂直ドライブ電流を生成するとともに、この垂直ドライブ電流を垂直偏向コイルに出力する。従って、上記電子ビームは水平方向および垂直方向にドライブされながら上記映像信号に基づいて上記受像管に画像を再生することができる。
【０００６】
上記水平偏向回路は水平糸巻き歪み補正回路を備え、同水平糸巻き歪み補正回路は、垂直同期パルスからパラボラ波状の水平糸巻き歪み補正電圧を生成する。そして、生成された上記水平糸巻き歪み補正電圧に基づいて上記水平ドライブ電流を変調する。従って、水平方向の糸巻き状の歪みを防止することができる。一方、上記平均輝度電圧検出手段は、上記映像信号出力回路より出力される映像信号における輝度レベルの変動を輝度電圧として検出し、検出された輝度電圧を平滑化することにより平均輝度電圧を直流電圧として生成する。
【０００７】
さらに、上記パラボラ波状の水平糸巻き歪み補正電圧に上記平均輝度電圧検出手段により検出された上記平均輝度電圧を重畳することにより、画像の輝度が小さいほど上記水平ドライブ電流の振幅を増加させるように同水平ドライブ電流を変調させる。従って、画像の輝度が小さいほど上記水平ドライブ電流の振幅が大きくされる。
【０００８】
ここで、画像の輝度が小さいときには上記電子ビームの量が増加するため、上記高圧発生回路の負荷が増大し上記高圧の電位が低下する。すると、上記電子ビームはより偏向されやすくなり画像幅が広がる。また、逆に画像の輝度が小さいときには上記電子ビームの量が減少するため、上記高圧発生回路の負荷が減少し上記高圧の電位が上昇する。すると、上記電子ビームはより偏向され難くなり画像幅が狭まる。従って、上記受像管に映し出される画像幅は画像の輝度に依存して変動する。しかし、画像の輝度が小さいほど上記水平ドライブ電流の振幅を大きくすることで上述した変動を打ち消すことができるため、画像の水平幅の変動を防止することができる。
【０００９】
また、請求項２にかかる発明は、映像信号をカソードアンプに出力する映像信号出力回路と、水平同期パルスからのこぎり波状の水平ドライブ電流を生成し同水平ドライブ電流を水平偏向コイルに出力する水平偏向回路と、受像管のアノード電極に高圧を出力する高圧発生回路と、垂直同期パルスからのこぎり波状の垂直ドライブ電流を生成し同垂直ドライブ電流を垂直偏向コイルに出力する垂直偏向回路とを備えるテレビジョンにおいて、
上記映像信号出力回路より出力される映像信号における輝度レベルの変動を輝度電圧として検出する輝度電圧検出手段を具備するとともに、上記輝度電圧検出手段にて検出された輝度電圧を水平偏向回路に入力することにより画像の輝度が小さいほど上記水平ドライブ電流の振幅を増加させるように同水平ドライブ電流を変調させる構成としてある。
【００１０】
上記のように構成した請求項２の発明は、映像信号出力回路が映像信号をカソードアンプに出力し、高圧発生回路が受像管のアノード電極に高圧を出力する。従って、上記映像信号に基づいて受像管の管面に電子ビームを投射することが可能となる。水平偏向回路は、水平同期パルスからのこぎり波状の水平ドライブ電流を生成するとともに、この水平ドライブ電流を水平偏向コイルに出力する。同様に垂直偏向回路は、垂直同期パルスからのこぎり波状の垂直ドライブ電流を生成するとともに、この垂直ドライブ電流を垂直偏向コイルに出力する。従って、上記電子ビームは水平方向および垂直方向にドライブされながら上記映像信号に基づいて画像を再生することができる。
【００１１】
上記輝度電圧検出手段は、上記映像信号出力回路より出力される映像信号における輝度レベルの変動を輝度電圧として検出する。上記輝度電圧検出手段により検出された上記輝度電圧を上記水平偏向回路に入力することで、画像の輝度が小さいほど上記水平ドライブ電流の振幅を大きくする。すなわち、画像の輝度に基づく画像幅の変動を防止することができる。
【００１２】
また、請求項３にかかる発明は、上記輝度電圧検出手段は、検出された輝度電圧を平滑化することにより直流の平均輝度電圧を生成する平均化手段を具備する構成としてある。
上記のように構成した請求項３の発明は、平均化手段において上記輝度電圧を平滑化することにより上記映像信号の平均輝度を検出することが可能となる。
【００１３】
さらに、請求項４にかかる発明は、上記水平偏向回路は、垂直同期パルスからパラボラ波状の水平糸巻き歪み補正電圧を生成するとともに同水平糸巻き歪み補正電圧に基づいて上記水平ドライブ電流を変調させる水平糸巻き歪み補正回路を備えるとともに、上記輝度電圧検出手段にて検出された上記輝度電圧を上記水平糸巻き補正電圧に重畳させる構成としてある。
【００１４】
上記のように構成した請求項４の発明は、上記水平偏向回路は水平糸巻き歪み補正回路を備え、同水平糸巻き歪み補正回路は、垂直同期パルスからパラボラ波状の水平糸巻き歪み補正電圧を生成する。そして、生成された上記水平糸巻き歪み補正電圧に基づいて上記水平ドライブ電流を変調する。従って、水平方向の糸巻き状の歪みを防止することができる。また、上記輝度電圧検出手段にて検出された上記輝度電圧を上記水平糸巻き補正電圧に重畳させることにより画像の輝度に基づいて画像幅を補正することが可能となる。
【００１５】
【発明の効果】
以上説明したように、請求項１および請求項２にかかる発明によれば、画像の輝度に依存して画像の水平幅が変動しないテレビジョンを提供することができる。
また、請求項３にかかる発明によれば、画像全体の平均輝度を検出することが可能となる。
さらに、請求項４にかかる発明によれば、水平方向の糸巻き歪みを補正しつつ画像幅を安定化させることができる。
【００１６】
【発明の実施の形態】
（１）テレビジョンの構成：
（２）画像幅、歪みについて：
（３）水平偏向回路について：
（４）平均輝度電圧検出回路について：
（５）動作について：
【００１７】
（１）テレビジョンの構成：
図１は、本発明の一実施形態にかかるテレビジョン１００の構成の概略ブロック図である。なお、利用者が使用する操作パネル、リモコン等は図示を省略している。
図において、テレビジョン１００は、放送受信装置として、概略、チューナＩＣ１２と、このチューナＩＣ１２に接続されたクロマＩＣ１３と、チューナＩＣ１２とクロマＩＣ１３に接続されたマイコン１１とを備えている。チューナＩＣ１２とクロマＩＣ１３とマイコン１１は、ＩＩＣバス１０に接続されている。そして、マイコン１１がシリアルデータ通信によってテレビジョン１００全体を制御することにより、テレビジョンとしての機能を実現している。
【００１８】
チューナＩＣ１２は、周波数シンセサイザ方式のチューナであり、マイコン１１の制御によりテレビジョン放送の放送電波を受信し、中間周波信号（ＩＦ）に変換して出力する。同チューナＩＣ１２は、アンテナ１２ａ、マイコン１１に接続された高周波増幅回路、この高周波増幅回路とマイコン１１に接続された中間周波信号出力回路、等を備えている。中間周波信号出力回路は、マイコン１１に接続された局部発振回路と、この局部発振回路と高周波増幅回路に接続された混合回路とを備えている。なお、これらの回路は、従来から採用されている種々のテレビジョン用の回路を適用することができる。
【００１９】
高周波増幅回路は、バンドパスフィルタを有しており、マイコン１１の制御に基づいて、アンテナ１２ａからこのバンドパスフィルタを介して所望周波数に対応する放送電波を受信し、増幅して高周波信号を作成し、作成した高周波信号を混合回路に出力する。局部発振回路は、ＰＬＬ（Ｐｈａｓｅ  Ｌｏｃｋｅｄ  Ｌｏｏｐ  ）回路により構成されており、水晶発振回路からの基準発振信号を基準にして、ＰＬＬ回路により放送電波の所望周波数に対応する局部発振周波数の局部発振信号を作成して混合回路に出力する。混合回路は、高周波増幅回路からの出力と局部発振回路からの局部発振信号とを混合して中間周波信号に変換し、クロマＩＣ１３に出力する。
【００２０】
クロマＩＣ１３は、チューナＩＣ１２に接続された中間周波増幅（ＶＩＦ）回路と、マイコン１１に接続されたＶＣＯ（Ｖｏｌｔａｇｅ  Ｃｏｎｔｒｏｌｅｄ  Ｏｓｃｉｌｌａｔｏｒ）回路、このＶＣＯ回路とＶＩＦ回路に接続された検波回路、この検波回路に接続されたＡＧＣ回路、同検波回路に接続された同期回路、等を備えている。なお、各回路は、従来から採用されている種々のテレビジョン用の回路を適用することができる。
【００２１】
ＶＩＦ回路は、チューナＩＣ１２から入力される中間周波信号を中間周波増幅し、中間周波増幅した中間周波信号を検波回路に出力する。ＶＣＯ回路は、マイコン１１から入力される電圧に応じて発振する発振信号の発振周波数を変更することが可能であり、同電圧に対応する発振周波数で発振信号を発振する。検波回路は、発振信号の発振周波数に基づいて、ＶＩＦ回路にて中間周波増幅された中間周波信号を検波して映像信号とＡＵＤＩＯ信号とを出力する。より具体的にいうと、検波回路は、中間周波増幅された中間周波信号から発振信号の発振周波数に同期しながら映像検波を行い映像信号を分離する。さらに、同映像信号に含まれる輝度信号（Ｙ信号）と搬送色信号（Ｃ信号）と水平・垂直同期信号（ＳＹＮＣ）等をそれぞれ分離する。分離された搬送色信号に所定の色復調処理を施してＲＧＢ信号を分離し、外部に出力する。また、音声の信号については、中間周波増幅された中間周波信号のうち音声成分と発振信号とを混合して第二音声中間周波信号を作成し、ＦＭ検波を行ってＡＵＤＩＯ信号とし、外部に出力する。
【００２２】
検波回路から出力されたＲＧＢ信号はカソードアンプ２１に出力され、このカソードアンプ２１にて増幅されて受像管（ＣＲＴ）２２に供給される。すると、受像管２２は、増幅されたＲＧＢ信号に基づいて画面表示を行う。一方、上記ＡＵＤＩＯ信号についてはオーディオアンプ２３に出力され、このオーディオアンプ２３で増幅されてスピーカ２４に供給される。そして、スピーカ２４は、増幅されたＡＵＤＩＯ信号に基づいて音声を出力する。
【００２３】
同期回路は、入力される水平・垂直同期信号に基づいてのこぎり波状の水平・垂直ドライブ信号（ＤＲＩＶＥ）を作成し、水平偏向回路３０と垂直偏向回路２６に出力する。水平偏向回路３０と垂直偏向回路２６は、水平ドライブ信号と垂直ドライブ信号に対応した所定の水平ドライブ電流と垂直ドライブ電流を作成し、受像管２２に取り付けられた水平偏向コイル３０ａと垂直偏向コイル２６ａにそれぞれ供給することにより、電子ビームを水平・垂直方向にドライブさせる。また、水平偏向回路３０は水平糸巻き歪み補正回路３３を備えており、受像管２２の管面の両サイドに発生する糸巻き状の歪みを解消している。水平偏向回路で生じる高周波信号は、フライバックトランス（ＦＢＴ）２７に供給され、受像管２２のアノード電極２２ａに供給する高圧ＨＶが発生するようになっている。その結果、受像管２２ではＲＧＢ信号に応じた電子ビームがドライブされながら放出され、受像管２２の管面に画像が現れることになる。
【００２４】
ＡＣＬ（Ａｕｔｏ  Ｃｏｎｔｒａｓｔ  Ｌｉｍｉｔ）回路においては、フライバックトランス２７から受像管２２の管面の輝度に基づく電圧の変化をＡＣＬ電圧として取得している。このＡＣＬ電圧は、クロマＩＣ１３に入力され、クロマＩＣ１３は受像管２２の管面の輝度が所定量より大きくなるとカソードアンプ２１に出力されるＲＧＢ信号を制限する。従って、管面の輝度が過大となることが防止されている。
【００２５】
マイコン１１は、上記高周波増幅回路や局部発振回路やＶＣＯ回路に制御電圧を出力する。この制御を行うため、マイコン１１は、ＣＰＵ１１ａ、ＲＯＭ１１ｂ、ＲＡＭ１１ｃ、Ｄ／Ａ変換器１１ｄ、Ｉ／Ｏポート１１ｅ、図示しないＡ／Ｄ変換器、タイマ回路、等を内蔵している。ここで、同マイコン１１や、チューナＩＣ１２や、クロマＩＣ１３や、カソードアンプ２１や、受像管２２等のデバイスには電源装置９０から複数種類の二次側の直流電圧が供給されており、これらのＩＣは同直流電圧を利用して動作するようになっている。
【００２６】
（２）画像幅、歪みについて：
図２は、本発明の一実施形態にかかるテレビジョン１００の受像管２２の入力系統をブロック図により示している。同図において、電源装置９０により二次側直流電圧＋Ｂが生成されている。二次側直流電圧＋Ｂは、水平偏向回路３０に入力されており、水平偏向回路３０からは水平ドライブ電流が出力されている。水平ドライブ電流は水平偏向コイル３０ａに入力されており、これらが磁界を発生させることにより受像管２２の管面に向かう電子ビームに水平方向の振幅を発生させている。従って、電子ビームの振幅で決定される受像管２２に映し出される画像の水平幅は、水平ドライブ電流の振幅に依存している。
【００２７】
電子ビームを受像管２２の管面に投射する電子銃は、受像管２２の管面の幅方向および高さ方向の略中央位置に配設される。従って、受像管２２の管面はやや球面を帯びるものの略平面状に形成されるため、電子銃と受像管２２の管面との距離は同管面の中央から外縁に近づくにつれて長くなる。すなわち、受像管２２の管面の中央部に投射される電子ビームは、同管面の外縁に投射される電子ビームより経路が短く偏向されにくい。従って、図３に示すような放物線状の糸巻き歪みが発生することとなる。同図において、上下中央位置のラスターは、上下端部ラスターより短くなっている。上下端部のラスターほど左右中央部が内側に向かって歪まされている。このような糸巻き歪みは、特に大型の管面を有する受像管に発生しやすく、水平方向の糸巻き歪みを解消するために本実施形態においては水平糸巻き歪み補正回路３３が備えられている。
【００２８】
一方、水平ドライブ電流が入力される水平偏向コイル３０ａは抵抗分が少ないため、のこぎり波状の水平ドライブ電流の帰線期間には非常に大きいパルス電圧が発生することとなる。このパルス電圧をフライバックトランス２７に入力するとともに、同フライバックトランス２７にて昇圧し高圧ＨＶを生成している。高圧ＨＶは、受像管２２のアノード電極に入力されている。一方、クロマＩＣ１３は、ＲＧＢ信号をカソードアンプ２１に出力している。ここで、カソードアンプ２１に出力される画像の輝度が高い場合にはビーム電流が大きくなり、高圧ＨＶの負荷が増加する。すると、高圧ＨＶの電位は低下し電子ビームはより水平偏向コイル３０ａと垂直偏向コイル２６ａの影響を受けることとなる。従って、このとき受像管２２の画像幅は大きくなる。反対に、カソードアンプ２１に出力される画像の輝度が小さい場合には高圧ＨＶの電位が高くなるため、受像管２２の画像幅は小さくなる。
【００２９】
画像の輝度が過剰に大きいと画像に白つぶれが発生したり受像管２２の寿命を短くさせる原因ともなる。また、高圧ＨＶの負荷が大きくなるため、高圧発生回路が破壊されるおそれもある。そこで、本実施形態においてはＡＣＬ回路を設けてビーム電流を制限している。ＡＣＬ回路は所定量より画像の輝度が大きいときには、クロマＩＣ１３に作用してカソードアンプ２１に出力されるＲＧＢ信号を規制させる。従って、画像の輝度が所定量より大きくなることを制限するとともに、同時に高圧ＨＶの電位の低下も抑制されるため受像管２２に映し出される画像が大きくなることも防止されている。
【００３０】
（３）水平偏向回路について：
図４は、水平偏向回路３０の構成を示している。同図において、水平偏向回路３０は水平同期パルスから水平発振パルスを生成する発振回路３１と、同水平発振パルスからのこぎり波状の水平ドライブ電流を発生させ水平偏向コイル３０ａに出力する変調回路３２と、糸巻き状の歪みを補正するための補正電圧を生成する水平糸巻き歪み補正回路３３とで構成されている。発振回路３１は発振用トランジスタＱ１１に水平同期パルスを入力することで水平発振パルスを生成している。
【００３１】
変調回路３２は、カソード側を水平発振トランジスタＱ１１のコレクタに接続しアノード側をグランドに接続する第一のダンパーダイオードＤ２２および第二のダンパーダイオードＤ２１とからなる直列回路と、一端を水平発振トランジスタＱ１１のコレクタに接続しもう一端をグランドに接続する第一の共振コンデンサＣ２２と第二の共振コンデンサＣ２１とからなる直列回路と、一端を水平発振トランジスタＱ１１のコレクタに接続しもう一端をグランドに接続する水平偏向コイル３０ａと変調コイルＬ２２およびコンデンサＣ２３，Ｃ２４とからなる直列回路とで構成されている。
【００３２】
すなわち、変調回路３２はダイオードモジュレータ式の変調回路を構成し、入力された水平発振パルスに基づいて水平偏向コイル３０ａにのこぎり波状の水平ドライブ電流を生成することが可能となっている。また、水平ドライブ電流はフライバックトランス２７にも供給されている。ダイオードモジュレータ式の変調回路は、水平発振トランジスタのパルスが常に一定であるとともに、フライバックトランス２７の二次側も変動し難いという特性があるため広く利用されている。
【００３３】
水平糸巻き歪み補正回路３３は、のこぎり波状の垂直ドライブ電流からパラボラ波の電圧を生成する積分回路３４と、このパラボラ波状の電圧を波形調整し補正電圧を生成する波形整形回路３５とで構成されている。積分回路３４は、一端から垂直ドライブ電流を入力しもう一端が可変抵抗Ｒ２１に接続されたコンデンサＣ４１とコンデンサＣ４２とからなる直列回路と、このコンデンサＣ４１とコンデンサＣ４２とからなる直列回路に並列して設けられた抵抗Ｒ４１と抵抗Ｒ４２とからなる直列回路と、コンデンサＣ４１とコンデンサＣ４２の間と抵抗Ｒ４１と抵抗Ｒ４２の間を相互に接続するコンデンサＣ４３と抵抗Ｒ４３とからなる直列回路とで構成されている。かかる構成により、のこぎり波状の垂直ドライブ電流をパラボラ波状の電圧に変換し、このパラボラ波の電圧をトランジスタＱ５１のベースに出力することが可能となっている。
【００３４】
ｎｐｎ形トランジスタＱ５１を有する波形整形回路３５は、直流電源＋Ｂを分割しトランジスタＱ５１のエミッタおよびコレクタに入力するコンデンサＣ５１および抵抗Ｒ５１と、トランジスタＱ５１のコレクタと直流電源＋Ｂとの間に介在する可変抵抗Ｒ５２と可変抵抗Ｒ５３からなる直列回路と、エミッタが抵抗Ｒ５６を介して接地しつつ抵抗Ｒ５７を介して直流電源＋Ｂに接続しベースが抵抗Ｒ５４および抵抗Ｒ５５を介して可変抵抗Ｒ５２と可変抵抗Ｒ５３のそれぞれの可変端子に接続するｐｎｐ形トランジスタＱ５２と、ベースがトランジスタＱ５２のコレクタに接続しエミッタが接地するｎｐｎ形トランジスタＱ５３と、このトランジスタＱ５３のコレクタと変調回路３２との間に介在するチョークコイルＬ５１と一端がグランドに接続されたコンデンサＣ５２からなるフィルタ回路とで構成されている。
【００３５】
かかる構成により、積分回路３４で生成したパラボラ波状の電圧をトランジスタＱ５１で反転増幅し、可変抵抗Ｒ５２によりその振幅を調整することが可能となっている。さらに、振幅調整されたパラボラ波状の電圧は可変抵抗Ｒ５３によって直流電源＋Ｂを分割入力することにより、任意の直流分が重畳される。直流分が重畳されたパラボラ波状の電圧はさらにトランジスタＱ５２により反転増幅され、トランジスタＱ５３のベースに出力される。トランジスタＱ５３よってさらに増幅されたパラボラ波状の補正電圧は、変調回路３２に入力される。従って、可変抵抗Ｒ５２を調整することによりパラボラ波状の補正電圧の変化率を調整することができ、糸巻き歪みの曲率に適合させつつ補正することができる。一方、可変抵抗Ｒ５３を調整することによりパラボラ波状の補正電圧の直流分が調整できるため、画像の幅を調整することができる。また、チョークコイルＬ５１とコンデンサＣ５２からなるフィルタ回路によって脈流成分が除去される。
【００３６】
変調回路３２においては、同変調回路３２にて生成したのこぎり波状の水平ドライブ電流を水平糸巻き歪み補正回路３３にて生成したパラボラ波状の補正電圧に基づいて変調する。図５は、パラボラ波状の補正電圧に基づいて変調された水平ドライブ電流の波形を模式的に示している。同図において、パラボラ波状の補正電圧は垂直周期に同期しているため、中央のラスターに相当する水平ドライブ電流ほどパラボラ状にパルス振幅が増大させられる。従って、電子ビームの経路長が短い中央のラスターも十分に偏向させることができ、中央のラスターが短くなることが防止できる。すなわち、水平方向の糸巻き歪みを補正することが可能となっている。
【００３７】
（４）平均輝度電圧検出回路について：
図６は、平均輝度電圧検出回路７０の構成をブロック図により示している。同図において、検波回路によって搬送色信号（Ｃ信号）と分離して生成した輝度信号（Ｙ信号）はコンデンサＣ７１とバッファ回路７１と平滑回路７２とレベル補正回路７３とを経て水平糸巻き歪み補正回路３３へと出力されている。なお、輝度信号（Ｙ信号）において輝度レベルは電圧レベルとして出力されており、直流成分や同期パルス成分が含まれている。また、本実施形態においては輝度信号は正極性として出力されているため、白レベルは高電位側となり黒レベルは低電位側となっている。従って、輝度が大きい場合には輝度信号の電位は高電位側にシフトし、反対に輝度が小さい場合には低電位側にシフトする。
【００３８】
コンデンサＣ７１において輝度信号（Ｙ信号）は直流成分が除去されて、バッファ回路７１に入力される。このようにバッファ回路７１を経由することにより、水平糸巻き歪み補正回路３３における電圧等の変動によって映像信号処理等に影響が及ぼされることが防止できる。平滑回路７２において輝度電圧の変動を平滑化することにより、同期パルス等の高周波成分を除去しつつ輝度電圧を平均化し直流の平均輝度電圧として出力している。平滑回路７２は、コンデンサを並列に挿入した回路やチョークコイルを直列に挿入した回路等の一般的に知られている平滑回路を採用することができる。
【００３９】
また、平滑化に供されるコンデンサやチョークコイル等の時定数を調整することにより、所定時間（数フレーム分）における画像全体の平均輝度を検出することも可能であるし、各ラスター毎やフレーム毎の平均輝度を検出することもできる。すなわち、画像全体のビーム電流を検出するＡＣＬ回路やＡＢＬ回路等の輝度検出回路では検出することができない微小な時間における輝度変動も検出することが可能となっている。なお、本実施形態においては所定時間における画像全体の平均輝度を検出している。
【００４０】
従って、所定の時間継続して画像が全体的に暗いときには小さい平均輝度電圧が出力され、継続して画像が全体的に明るいときには大きい平均輝度電圧が出力される。この平均輝度電圧は、レベル補正回路７３に入力され白レベルと黒レベルの間で変動する平均輝度電圧が所定の電位領域となるように補正している。そして、レベル補正回路７３にて補正された平均輝度電圧は、水平糸巻き歪み補正回路３３のトランジスタＱ５２のベースに直流電圧として入力されている。
【００４１】
（５）動作について：
平均輝度電圧検出回路７０にて生成された直流の平均輝度電圧は、トランジスタＱ２１によって反転増幅されたパラボラ波状の電圧に直流成分として重畳される。従って、図７上段に示すように平均輝度電圧が大きいときには反転されたパラボラ波状の電圧は全体的に高電位側にシフトし、平均輝度電圧が小さいときには反転されたパラボラ波状の電圧は全体的に低電位側にシフトする。なお、同図においては可変抵抗Ｒ５２および可変抵抗Ｒ５３の調整することにより、反転されたパラボラ波状の電圧の振幅および直流成分は変動しないものとしている。
【００４２】
トランジスタＱ５２のエミッタは直流電源＋Ｂから定電圧電源が入力されているため、トランジスタＱ５２のエミッタ−ベース間には順方向の電流が流れる。しかしながら、トランジスタＱ５２のベースからは反転されたパラボラ波状の電圧および平均輝度電圧に基づく逆電流が流れようとするため、平均輝度電圧が小さいときにはエミッタ−ベース電流が多く流れ、平均輝度電圧が大きいときには順方向のエミッタ−ベース電流は少なくなる。従って、図７中段に示すようにトランジスタＱ５２のエミッタ−コレクタ電流はパラボラ波状に変化しつつ平均輝度電圧が小さいときには多くなり、平均輝度電圧が大きいときには少なくなる。
【００４３】
すなわち、図７下段に示すようにトランジスタＱ５２のエミッタ−コレクタ電流に基づく水平偏向ドライブ電流の変調量も画像の輝度が大きいときには少なく、画像の輝度が小さいときには大きくなる。従って、所定の時間継続して画像全体の輝度が小さく高圧ＨＶの電位が上昇した場合でも画像幅が狭められることを防止することができるし、所定の時間継続して画像全体の輝度が大きく高圧ＨＶの電位が低下した場合でも画像幅が広げられることも防止することができる。すなわち、検出された平均輝度電圧に基づいて画像幅を一定化することが可能となっている。
【００４４】
一方、ＡＣＬ回路においては、画像の輝度が大きくなったときに画像のコントラストを制限することにより高圧ＨＶの電位の低下を防止し画像幅の広がりを防止することが可能であったが、画像の輝度が小さくなったときに画像幅が狭まることを防止することができなかった。これに対して、本発明においては、画像の輝度が低い場合にも画像幅が狭まることを防止するため、常に画像の幅を一定に保つことができる。ここで、平均輝度電圧検出回路７０における平滑回路７２に適用されるコンデンサやチョークコイル等の時定数を調整することにより、以上説明した動作の応答性を変化させることができる。すなわち、各フレーム毎に平均輝度を検出し画像幅を補正することもできるし、本実施形態のように数フレーム分の平均輝度を検出して画像幅を補正することもできる。
【００４５】
以上説明したように、本発明においては映像信号処理回路から検出した平均輝度電圧を水平糸巻き歪み補正回路における補正電圧に重畳させることにより画像幅を一定とすることが可能となる。このようにすることで、従前より適用されている水平糸巻き歪み補正回路を有効に利用するとともに、新規に追加する回路を最小限で済ますことができる。ただし、本発明は水平ドライブ電流の振幅を変調させることができればよく、必ずしも水平糸巻き歪み補正回路を利用する必要はない。例えば、水平発振回路３１や変調回路３２に直接平均輝度電圧を入力することにより水平ドライブ電流を変調させる構成としてもよい。
【図面の簡単な説明】
【図１】本発明の一実施形態にかかるテレビジョンの構成の概略ブロック図である。
【図２】本発明の一実施形態にかかる受像管の入力系統の構成を示すブロック図である。
【図３】糸巻き歪みの様子を示す模式図である。
【図４】本発明の一実施形態にかかる水平偏向回路の回路図である。
【図５】糸巻き歪み補正により補正された水平ドライブ電流を模式的に示す図である。
【図６】本発明の一実施形態にかかる平均輝度電圧検出回路を示すブロック図である。
【図７】本発明の一実施形態にかかる水平偏向回路および平均輝度電圧検出回路の動作を説明する図である。
【符号の説明】
１００…テレビジョン
１１…マイコン
２１…カソードアンプ
２２…受像管
２６…垂直偏向回路
２７…フライバックトランス
３０…水平偏向回路
３０ａ…水平偏向コイル
３１…水平発振回路
３２…変調回路
３３…水平糸巻き歪み補正回路
３４…積分回路
３５…波形整形回路
７０…平均輝度電圧検出回路
７１…バッファ回路
７２…平滑回路
７３…レベル補正回路
【図１】
2004350180.tif 000003
【図２】
2004350180.tif 000004
【図３】
2004350180.tif 000005
【図４】
2004350180.tif 000006
【図５】
2004350180.tif 000007
【図６】
2004350180.tif 000008
【図７】
2004350180.tif 000009